(57)【特許請求の範囲】
【請求項１】
音声再生機能を有する複数の電子機器に音声データを配信する音声配信サーバであって、
前記音声データには、送信先の情報を示す送信先情報と、当該音声データの再生開始時刻を示す再生開始時刻情報が付加されており、
送信先の電子機器に対し、前記再生開始時刻情報に示される再生開始時刻よりも前に音声データを送信し、再生開始時刻に達すると送信済みの音声データの再生開始を指示する再生開始指示を送信する音声送信制御部と、
複数の電子機器を含む予め設定されているグループに属する各電子機器について、各電子機器間で音声データの再生期間が重ならないように、再生取止めを含めて再生開始時刻の調整を行う調整部と、を備え、
前記音声送信制御部は、前記調整部にて再生開始時刻が調整されている場合は、前記調整部の調整結果に基づいて再生開始指示を送信することを特徴とする音声配信サーバ。
【請求項２】
各電子機器は、設置されている位置を示す設置位置情報に関連付けられており、
前記グループは、同一の設置位置情報が関連付けられた電子機器からなるグループであることを特徴とする請求項１に音声配信サーバ。
【請求項３】
前記設置位置情報が、ユーザ宅を識別するための識別情報である、あるいは前記識別情報およびユーザ宅内の設置場所を示す設置場所情報である、ことを特徴とする請求項２に記載の音声配信サーバ。
【請求項４】
前記調整部は、再生させる音声データの内容が複数の電子機器間で重複する場合は、これら複数の電子機器に再生させる音声データの再生開始時刻を、そのうちの１台の電子機器でのみ音声データが再生されるように調整することを特徴とする請求項１から３の何れか１項に記載の音声配信サーバ。
【請求項５】
前記調整部は、各電子機器に再生させる音声データの再生開始時刻を、再生時間の短い音声データから順に再生されるように調整することを特徴とする請求項１から４の何れか１項に記載の音声配信サーバ。
【請求項６】
前記調整部は、予め定められたタイミングで、以前の再生開始時刻の調整によって再生開始指示が送信されていない音声データを含めて再生開始時刻の調整を行うことを特徴とする請求項１から５の何れか１項に記載の音声配信サーバ。
【請求項７】
前記タイミングが、再生開始時刻として設定可能な最小時間であり、前記調整部は、最小時間毎に再生開始時刻の調整を繰り返し行うことを特徴とする請求項６に記載の音声配信サーバ。
【請求項８】
前記調整部は、再生開始時刻を調整する処理の実行回数が所定回数を超えたとき、実行回数が所定回数を超えた音声データの再生の優先度を上げることを特徴とする請求項１から７の何れか１項に記載の音声配信サーバ。
【請求項９】
前記調整部は、前記再生開始時刻情報に示される再生開始時刻から所定時間内に開始指示が送信されなかった音声データについては再生を取止め、
前記調整部にて再生が取止められた音声データの内容を示すメッセージを、送信先の電子機器に関連付けられたユーザの情報端末装置に送信するメッセージ送信制御部をさらに備えることを特徴とする請求項１から８の何れか１項に記載の音声配信サーバ。
【請求項１０】
前記電子機器は、再生開始指示を受信すると、当該音声配信サーバから受信した音声データの再生を開始する第１の発話設定と、再生許可指示を受信すると、当該音声配信サーバから受信した音声データの存在をユーザに報知し、ユーザにより再生が指示されると前記音声データの再生を開始する第２の発話設定とが可能であり、
前記音声データには、当該音声データの再生可能期間を示す再生可能期間情報と、前記第１あるいは第２の何れの発話設定かを示す発話設定情報とが、さらに付加されており、
前記発話設定情報が第２の発話設定である場合に、送信先の電子機器に対し、前記再生可能期間情報に示される再生可能期間よりも前に音声データを送信し、前記再生可能期間に入ると送信済みの音声データの再生を許可する再生許可指示を送信する第２の音声送信制御部と、
前記発話設定情報が第２の発話設定である場合に、音声データの送信先の電子機器に関連付けられたユーザの情報端末装置に、前記再生可能期間情報に示される再生可能期間よりも前に、音声データの配信を予告し、当該音声データの再生可能期間を通知する予告メッセージを送信する予告メッセージ送信制御部と、を備えることを特徴とする請求項１から９の何れか１項に記載の音声配信サーバ。
【発明の詳細な説明】
【技術分野】
【０００１】
本発明は、音声発話機能を有する電子機器に対し、通信ネットワークを介して発話させる音声データを配信する音声配信サーバ、その制御方法、および制御プログラムに関する。
【背景技術】
【０００２】
家電などの電子機器は、年々、多機能化する傾向にあり、家電の主たる機能以外の付加機能として、音声データを再生して音声を発話する音声発話機能を有するものが増えている。例えば、特許文献１には、アプリケーションサーバからホームゲートウェイを介して音声データを取得することにより、発話する音声データを追加したり変更したりできる、電子レンジや、冷蔵庫、エアコン等が記載されている。なお、以下、音声発話機能を有する家電を発話家電と称する。
【０００３】
また、特許文献２には、ＥＴＣ車載器や、カーナビゲーション装置、カーオーディオ装置等の発話可能機器が、同時に音声出力しようとする状況においても個々の音声が利用者に聞き取れるように、個々の発話可能機器間で発話時期を調整する技術が記載されている。各発話可能機器は、発話権協議手段を備えており、該発話権協議手段同士の交渉により、一つの発話可能機器に優先発話権を与え、優先発話権を持たない発話可能機器に発話すべき音声データは発生すると、その旨を、優先発話権を有する発話可能機器に通知し、発話時期を調整してもらう。
【先行技術文献】
【特許文献】
【０００４】
【特許文献１】特開２００８−０４６４２４号公報（２００８年０２月２８日公開）
【特許文献２】特開２００９−２９４３１０号公報（２００９年１２月１７日公開）
【発明の概要】
【発明が解決しようとする課題】
【０００５】
ところで、上記のような発話家電がすると、配信サーバなどから発話家電に音声データを供給して、ユーザの操作に関わりなく発話させるようなシステムが考えられる。しかしながら、その場合、発話家電同士で発話期間が重なると、ユーザが聞き取れなかったり、煩く感じたりする問題が出てくる。
【０００６】
特許文献２の発話時期を調整する技術は、個々の発話可能機器が調整し合うものであり、音声データを配信サーバなどで一元管理して配信するシステムにおいて、発話家電間で発話期間が重複しないように調整するものではない。
【０００７】
本発明は、上記課題に鑑みてなされたものであり、発話家電間で発話期間が重複しないように発話時期を調整する、音声データをサーバで一元管理して配信するシステムに好適な音声配信サーバ、その制御方法、および制御プログラムを提供することにある。
【課題を解決するための手段】
【０００８】
本発明の一態様に係る音声配信サーバは、上記課題を解決するために、音声再生機能を有する複数の電子機器に音声データを配信する音声配信サーバであって、前記音声データには、送信先の情報を示す送信先情報と、当該音声データの再生開始時刻を示す再生開始時刻情報が付加されており、各音声データを送信先の電子機器に前記再生開始時刻情報に示される再生開始時刻よりも前に送信し、再生開始時刻に達すると送信済みの音声データの再生開始を指示する再生開始指示を送信する音声送信制御部と、複数の電子機器を含む予め設定されているグループに属する各電子機器について、各電子機器間で音声データの再生期間が重ならないように、再生取止めを含めて再生開始時刻の調整を行う調整部と、を備え、前記音声送信制御部は、前記調整部にて再生開始時刻が調整されている場合は、前記調整部の調整結果に基づいて再生開始指示を送信することを特徴としている。
【発明の効果】
【０００９】
本発明の一態様によれば、発話家電間で発話期間が重複しないように発話時期を調整する、音声データをサーバで一元管理して配信するシステムに好適な音声配信サーバを提供できるという効果を奏する。
【図面の簡単な説明】
【００１０】
【図１】本実施の形態にかかる、音声配信サーバである配信サーバを含む遠隔操作システム１００の概略構成を示す図である。
【図２】上記遠隔操作システムにおける通信端末装置に、遠隔操作のためのアプリケーションを起動させることで表示されるＵＩ画面の一例を示す図である。
【図３】上記配信サーバを介して各家電に配信される配信データの流れを示す図である。
【図４】上記配信データおよび該配信データに付加して送信される家電ＩＤの構造を示す図である。
【図５】上記配信サーバの音声配信に係る要部ブロック図である。
【図６】上記配信サーバで作成される再生指示リストのイメージを示す図である。
【図７】上記配信サーバで行われる再生指示リストの分割のイメージを示す図である。
【図８】上記配信サーバにおける音声配信の手順を示すフローチャートである。
【図９】図８におけるＳ７の再生開始時刻の調整処理の手順を示すフローチャートである。
【図１０】配信サーバにおける再生開始時刻を調整すべき配信データの並べ替えのイメージを示す図である。
【図１１】近くに配置された家電Ａと家電Ｂとの間で再生期間が重なり、音声が重複する事例のタイミングチャートである。
【図１２】近くに配置された家電Ａと家電Ｂとの間で、発話指示のタイミングをずらして、再生期間の重なりを無くしたタイミングチャートである。
【図１３】別の実施の形態にかかる、音声配信サーバである配信サーバで行われる再生指示リストのイメージを示す図である。
【図１４】さらに別の実施の形態にかかる、音声配信サーバである配信サーバの音声配信に係る要部ブロック図である。
【図１５】上記配信サーバを介して各家電に配信される配信データの流れを示す図である。
【図１６】上記配信サーバにおける、再生開始時刻の調整処理の手順を示すフローチャートである。
【図１７】上記配信サーバにおける、再生開始時刻を調整すべき配信データの並べ替えのイメージを示す図である。
【図１８】上記配信サーバと接続された管理サーバにおける、ネットワーク家電放送局の管理画面の一例を示す図である。
【図１９】上記管理サーバにおける、ネットワーク家電放送局に配信データを登録するための登録画面の一例を示す図である。
【図２０】さらに別の実施の形態にかかる、音声配信サーバである配信サーバの音声配信に係る要部ブロック図である。
【図２１】上記通信端末装置に事前に発話を予告して、所定のボタンを押させて発話を聞かせるイメージを示す図である。
【発明を実施するための形態】
【００１１】
以下、本発明を、実施の形態を挙げて詳細に説明する。なお、説明の便宜上、各実施の形態に示した部材と同一の機能を有する部材については、同一の符号を付記し、適宜その説明を省略する。
【００１２】
〔実施の形態１〕
本発明の一実施の形態を、図１〜図１２を参照して説明する。なお、本実施の形態では、音声配信サーバが遠隔操作システムの配信サーバである構成を例示する。
【００１３】
図１は、本実施の形態にかかる、音声配信サーバである配信サーバ２０を含む遠隔操作システム１００の概略構成を示す図である。図１に示すように、遠隔操作システム１００では、家であるユーザ宅５０に設置された家電１０−１〜１０−６と、音声配信サーバである配信サーバ２０と、通信端末装置３０−１〜３０−３とが、通信ネットワーク８０を介して接続されている。また、配信サーバ２０には、通信ネットワーク８０を介して、複数の管理サーバ６０−１〜６０−Ｎと、外部情報を提供する外部情報サーバ７０等が接続されている。
【００１４】
図１では、家電として、エアコン１０−１、テレビ１０−２、空気清浄機１０−３、加熱調理機１０−４、洗濯機１０−５、冷蔵庫１０−６を示している。また、通信端末装置として、スマートフォン等の遠隔操作のためのアプリケーション（スマートフォンアプリ）をダウンロードした通信端末装置３０−１〜３０−３を示している。しかしながら、当該システム１００において、これらの数や種類は限定されるものではなく、個別に説明する必要のない場合は、総称として家電１０および通信端末装置３０を用いる。また、複数の管理サーバ６０−１〜６０−Ｎについても、個別に説明する必要のない場合は、総称として管理サーバ６０を用いる。さらに、図１では、１つのユーザ宅５０に関する部分を示しているが、当該システム１００に含まれるユーザ宅５０の数も限定されるものではない。
【００１５】
家電１０は、通信ネットワーク８０に接続して配信サーバ２０と通信するための無線通信機能を有するネットワーク家電である。無線通信機能は、家電１０本体に内蔵されていてもよいし、家電１０本体に外付けされる通信アダプタに備えられていてもよい。家電１０は、配信サーバ２０を介して、対応付けられた通信端末装置３０による遠隔操作を受け付ける。
【００１６】
配信サーバ２０は、通信端末装置３０と家電１０との対応付けを登録して管理するものである。配信サーバ２０に組み合わせが登録されることで、通信端末装置３０による家電１０の遠隔操作や、通信端末装置３０へのデータ配信が可能となる。また、配信サーバ２０は、家電１０と通信することで、家電１０の運転状態を示す情報や、家電１０が搭載する各種センサが取得したセンシング情報（例えば、エアコンであれば、室温や湿度の情報、冷蔵庫であれば庫内温度、空気清浄機であればホコリの量等）を取得し、取得した情報を、通信端末装置３０や管理サーバ６０に送信する。
【００１７】
さらに、配信サーバ２０は、家電１０に音声データを配信する音声配信サーバとしての機能を有している。家電１０に再生させる音声データは、通信端末装置３０や、管理サーバ６０、外部情報サーバ７０等から供給される。配信サーバ２０は、管理サーバ６０や外部情報サーバから送信された文字列データを音声合成して音声データを生成することもできる。配信サーバ２０は、供給された音声データや音声合成して生成した音声データを家電１０へと配信（送信）する。
【００１８】
通信端末装置３０は、遠隔操作のための専用アプリケーションがダウンロードされている。通信端末装置３０は、配信サーバ２０を介して家電１０を遠隔制御する。通信端末装置３０には、配信サーバ２０から画像やテキスト情報等も送信される。
【００１９】
ユーザ宅５０には、通信ネットワーク８０の一部をなす無線ＬＡＮ（Wireless Local Area Network）が整備されている。無線ＬＡＮの中継局４０は、インターネットを含む通信ネットワーク８０と接続されている。中継局４０は、例えばＷｉＦｉ（登録商標）ルータやＷｉＦｉ（登録商標）アクセスポイントなどの通信機器である。通信端末装置３０と通信ネットワーク８０におけるインターネットとの間は、３Ｇ（3rd Generation）、ＬＴＥ（Long Term Evolution）や、宅内あるいは公衆のＷｉＦｉ（登録商標）アクセスポイントなどを利用して接続される。通信ネットワーク８０としては、インターネットを含まない、電話回線網、移動体通信網、ＣＡＴＶ（CAble TeleVision）通信網、衛星通信網などを利用することもできる。また、家電１０と通信端末装置３０とは、中継局４０を介して相互に通信することもできる。
【００２０】
管理サーバ６０は、配信サーバ２０が家電１０から取得した情報（運転状態を示す情報、センシング情報等）、および通信端末装置３０が配信サーバ２０を介して家電１０を遠隔制御した情報等に基づいて、家電１０における顧客の利用状況を把握し蓄積する。また、管理サーバ６０は、配信サーバ２０が家電１０から取得した情報に基づいて、家電１０間を連携制御する。さらに、管理サーバ６０は、配信サーバ２０を介して、家電１０に発話情報を提供したり、通信端末装置３０にコンテンツを提供したりする。管理サーバ６０は、配信サーバ２０を介して、家電１０には音声データで提供し、通信端末装置３０にはテキストデータや音声データにて提供する。
【００２１】
外部情報サーバ７０は、配信サーバ２０もしくは管理サーバ６０を介して、天気の情報や、イベント情報などの外部情報を、家電１０および通信端末装置３０に提供する。外部情報サーバ７０は、家電１０には音声データにて提供し、通信端末装置３０にはテキストデータや音声データにて提供する。なお、配信サーバ２０に接続される外部情報サーバ７０は複数であってもよい。
【００２２】
なお、ここでは、配信サーバ２０の機能と管理サーバ６０の機能を分けて説明したが、配信サーバ２０および管理サーバ６０が備える機能やマスターデータの管理は、システム設計上、どちらでも実現可能である。
【００２３】
図２は、通信端末装置３０に遠隔操作のためのアプリケーションを起動させることで表示されるＵＩ画面の一例を示す図である。図２の（ａ）は、基本機能として備える、同一のユーザ宅ＩＤに関連付けられている各ユーザ（家族メンバー等）からのメッセージを表示する画面である。各ユーザからのメッセージに加えて、同一のユーザ宅ＩＤに関連付けられている家電１０からのメッセージも表示される。図２の（ｂ）は、家電１０（例では空気清浄機）を操作する際に用いるシール画面である。シールを選択することで家電１０を操作することができる。図２の（ｃ）は、スケジュール機能の画面である。この画面で入力済みの予定（「運動会」や「遠足」など）を確認することができる。図２の（ｄ）は、スケジュールを登録するための登録機能の画面であり、この画面から予定を入力できる。
【００２４】
図３は、配信サーバ２０を介して各家電１０に配信される配信データの流れを示す図である。図４は、上記配信データおよび該配信データに付加して送信される家電ＩＤの構造を示す図である。
【００２５】
図３に示すように、配信サーバ２０には、複数の管理サーバ６０−１〜６０−Ｎ、および通信端末装置３０から、複数の家電１０−１〜６０−Ｎにて発話させる音声データを含む配信データが、配信先の家電１０を示す家電ＩＤ（送信先情報）と共に投稿（送信）される。なお、上述したように、投稿は文字列データで行われ、配信サーバ２０で文字列データの内容を音声合成してもよい。
【００２６】
家電ＩＤは、個々の家電１０を識別するための識別情報であり、家電１０が設置されている位置を示す設置位置情報が含まれている。本実施の形態では、図４に示すように、設置位置情報として、個々のユーザ宅５０を識別するためのユーザ宅ＩＤが用いられている。また、家電ＩＤには、当該家電１０の種類（冷蔵庫／エアコン／空気清浄機／…）を示す情報や、郵便番号等の地域を示す情報も含まれている。
【００２７】
配信データは、図４に示すように、発話させる音声データと、配信データの属性情報とを含んでいる。属性情報としては、再生開始時刻情報、再生時間情報、発話内容のカテゴリ情報、登録時刻情報などが含まれている。再生開始時刻情報とは、音声データの再生（発話）を開始させる再生開始時刻を示す情報である。再生時間情報とは、音声データの再生に要する時間を示す情報である。また、発話内容のカテゴリ情報とは、発話内容のカテゴリを示す情報であり、スポーツや、天気予報、ニュース、伝言、時報などである。登録時刻情報とは、配信データが登録（投稿）された時刻を示す情報である。
【００２８】
発話させる音声データとしては、複数の管理サーバ６０から投稿される音声メッセージや、配信サーバ２０に登録されている予め決められた音声メッセージ、通信端末装置３０から録音された伝言メッセージなどである。管理サーバ６０から投稿される音声メッセージには、管理サーバ６０が備える、後述する放送局から家電１０の種類（冷蔵庫／エアコン／空気清浄機／…）に応じて一斉に配信される音声メッセージなども含まれる。
【００２９】
i) 放送局から一斉配信する音声メッセージとしては、例えば、以下のようなものがある。
・ 時報、学校等公共機関のチャイム
・ ラジオ体操
・ 取扱説明書に記載された家電を使うためのノウハウ
・ アイドルの声、声優の声、アニメやキャラクターの声
・ 映画の予告編
ii) 配信サーバ２０に登録されている予め決められた音声メッセージとしては、例えば、以下のようなものがある。
・ 初期登録時に「登録してくれてありがとう〜」
・ 特定の日付時刻での発話「今日は大晦日、お掃除終わったかな？」
iii) 管理サーバ６０から投稿された音声メッセージとしては、例えば、以下のようなものがある。これは、ユーザが事前に設定したカテゴリ、もしくは、ユーザ登録情報でカスタマイズされる。
・ 天気予報/天候情報（温湿度、PM2.5、黄砂、花粉を含む）、台風情報
・ ニュース、時事情報
・ 東京オリンピック2020、映画の予告編、イベント情報、占い情報
・ 海外現地時間
・ 地域商店の特売情報
・ 健康情報
・ 伝言情報（ユーザが通信端末装置を用いて録音した音声）
iv) その他、他の家電１０の操作結果、発話結果を受けて、配信サーバ２０が配信する音声メッセージもある。この音声メッセージも、配信サーバ２０に登録されている。
・ HEMSシステムの発電量より「今月の電気代が多いよ」
・ 洗濯機の選択が終了し、洗濯機の代わりに他の家電１０（例えば空気清浄機）が言う「選択終わったよ」
・ 他の家電１０の故障情報を受けて、例えば、故障した家電１０の代わりに他の家電１０（例えばエアコン）が言う「空気清浄機が調子悪いみたいだよ」。
【００３０】
図３に戻り、投稿元となる複数の複数の管理サーバ６０−１〜６０−Ｎおよび通信端末装置３０は、上記のような音声メッセージを発話させる配信データを、投稿元間で連携することなく独立して配信サーバ２０へ投稿する。
【００３１】
配信サーバ２０は、複数の管理サーバ６０−１〜６０−Ｎおよび通信端末装置３０から投稿された各配信データを配信先の家電１０に配信して、指定された再生開始時刻にて発話させる。
【００３２】
また、配信サーバ２０は、配信サーバ２０に登録されている予め決定された配信データを所定のルールに従って、自身で配信先の家電１０と再生開始時刻とを決定して配信データを自発配信し（埋め込まれた配信内容による配信）、自発配信した配信データを、決定した再生開始時刻にて発話させる。
【００３３】
自発配信される配信データとは、例えば、上述した初期登録時の「登録してくれてありがとう〜」の配信データである。この場合、配信先は初期登録した家電１０であり、再生開始時刻は初期登録完了後の数秒後となる。
【００３４】
また、前述したスケジュールにて予定が登録されたスケジュールに関する発話も自発配信される配信データに相当する。配信先はスケジュールを登録した家電１０であり、再生開始時刻は指定された時刻である。上述した「今日は大晦日、お掃除終わったかな？」の配信データの再生開始時刻は、予め設定されている所定時刻となる。
【００３５】
その他、ユーザ宅５０に設置された家電１０で動作が完了した場合や、異常が発生した場合に、同一のユーザ宅に設置された他の家電１０を介してその旨を通知する発話も、自発配信される配信データに相当する。例えば、上述した「洗濯終わったよ」の配信データの配信先は当該洗濯機と同一のユーザＩＤを持つ他の家電１０であり、再生開始時刻は、例えば、洗濯機から洗濯が終わった旨の通知を受信した時刻から数秒以内である。同様に、「空気清浄機が調子悪いみたいだよ」の配信データの配信先は、当該空気清浄機と同一のユーザＩＤを持つ他の家電１０であり、再生開始時刻は、例えば、異常が発生した旨の通知を受信した時刻から数秒以内である。
【００３６】
このように、配信サーバ２０に投稿された配信データ、および配信サーバ２０で発生させた自発配信の配信データのそれぞれには、再生開始時刻が設定されている。
【００３７】
しかしながら、上述したように、配信サーバ２０への配信データの投稿は、投稿元となる複数の管理サーバ６０−１〜６０−Ｎおよび通信端末装置３０から連携なく独立して行われ、かつ、配信サーバ２０においても、投稿された配信データとは関わりなく自身で配信データを発生させる。
【００３８】
そのため、同一のユーザ宅５０内に設置されているような、それぞれの音声が重複し合うような位置に設置されている家電１０に、同じ再生開始時刻が設定された配信データが投稿されることがある。また、再生開始時刻は異なるものの、設定された再生開始時刻が先に再生を開始した別の家電１０の再生中に重なることもある。このような場合、同一のユーザ宅５０内に設置された家電１０間で再生期間が重なり、各家電１０から発せられた音声が重複して聞き取り難くなる恐れがある。
【００３９】
また、音声が重複する問題はないが、１つの家電１０に対して同じ再生開始時刻を設定された複数の配信データが投稿されることもある。また、１つの家電１０に対して、再生開始時刻は異なるものの、設定された再生開始時刻が、先に再生を開始した音声データの再生中に重なることもある。このような場合は、再生開始時刻の遅い方の音声データを再生できなくなる。
【００４０】
そこで、本実施の形態では、配信サーバ２０が、それぞれの音声が重複し合うような位置に設置されている複数の家電１０を含む予め設定されているグループに属する各家電１０については、各家電１０間で音声データの再生期間が重ならないように、各家電１０に再生させる音声データの再生開始時刻の調整を、再生取止めを含めて行い、調整後の再生開始時刻に基づいて、各家電１０に発話指示（開始指示）を送信する。
【００４１】
上記予め設定されているグループとは、それぞれの音声が重複し合うような位置に設置されていると想定される家電１０のグループである。各家電１０が、設置されている位置を示す設置位置情報に関連付けられている場合は、同一の設置位置情報を有する家電１０からなるグループがこれに相当する。本実施の形態では、設置位置情報として、ユーザ宅５０を識別するユーザ宅ＩＤを用い、同一のユーザ宅ＩＤを有する各家電１０について、再生開始時刻の調整を行う。
【００４２】
図５は、配信サーバ２０の音声配信に係る要部ブロック図である。図６は、配信サーバ２０で作成される再生指示リストのイメージを示す図である。図７は、配信サーバ２０で行われる再生指示リストの分割のイメージを示す図である。
【００４３】
配信サーバ２０は、図５に示すように、制御部２１、記憶部２２および通信部２３を備えている。制御部２１は、例えば、ＣＰＵ（Central Processing Unit）や専用プロセッサ等の演算処理部等により構成されるコンピュータ装置からなり、配信サーバ２０の各部の動作を制御する。記憶部２２は、配信サーバ２０で用いられる各種情報（データ）を記憶する。通信部２３は、通信ネットワーク８０を介して、家電１０、通信端末装置３０、管理サーバ６０、外部情報サーバ７０等と通信を行う。
【００４４】
制御部２１には、再生指示リスト作成部２１ａ、再生指示リスト分割部２１ｂ、発話調整部（調整部）２１ｃ、および音声送信制御部２１ｄが構築される。
【００４５】
再生指示リスト作成部２１ａは、配信先の家電１０に係わりなく、現時点で投稿された配信データおよび自発配信による配信データの全てを対象として、設定されている再生開始時刻毎に、配信先の家電ＩＤと配信データとを組にした再生指示リストを作成する。
【００４６】
図６の例では、再生開始時刻が１２：００、１２：０１…に指定された配信データが、その配信先の家電ＩＤと共に、リストアップされている。配信データは、その属性情報に含まれる登録時刻情報に基づいて、登録時期が早いものから順に並べられている。
【００４７】
再生指示リスト作成部２１ａは、このような再生指示リストを、例えば、１分毎、１０分毎、３０分毎等の予め設定さている定期的なタイミングで作成し直す。また、再生指示リスト作成部２１ａは、接続されている家電１０から、動作が完了した通知や、異常が発生した通知を受信すると、そのタイミングで再生指示リストを作成し直す。また、その他、管理サーバ６０および通信端末装置３０から、緊急性の高い即刻発話させる必要があるような配信データが投稿された場合にも作成し直す。
【００４８】
本実施の形態では、再生開始時刻を１分毎に設定できる構成に合わせて、再生指示リスト作成部２１ａは再生指示リストを１分毎に作成し直す構成としている。また、再生指示リスト作成部２１ａは、後述する発話調整部２１ｃにて、再生開始時刻が調整された配信データについては、調整後の開始時刻を用いて再生指示リストを作成し直すようになっている。これにより、優先度の高い音声データが、新たに出現した場合など、確実にそれを迅速に発話させることができる。
【００４９】
再生指示リスト分割部２１ｂは、図７に示すように、再生開始時刻の調整が必要となる同一のユーザ宅ＩＤを有する家電１０のブループ毎に、再生指示リストを分割する。再生指示リスト分割部２１ｂは、図６に示す再生指示リストの例では、ユーザ宅（Ａ）、ユーザ宅（Ｂ）…のそれぞれについて、家単位の再生指示リストに分割する。
【００５０】
発話調整部２１ｃは、再生指示リスト分割部２１ｂにて分割された同一のユーザ宅ＩＤを有するブループの各家電１０に対して、各家電１０間で音声データの再生期間が重ならないように、各家電１０に再生させる音声データの再生開始時刻の調整を、再生取止めを含めて行う。
【００５１】
例えば、図６に示す再生指示リストの例では、ユーザ宅（Ａ）に設置されたエアコンの配信データＡと冷蔵庫の配信データＢとで再生開始時刻が重なっている。この場合、発話調整部２１ｃは、エアコンの配信データＡあるいは冷蔵庫の配信データＢの何れか一方の再生開始時刻（正確には各配信データの音声データの再生開始時刻）を、先に再生を開始した配信データの再生時間分だけ後ろにずらす。
【００５２】
また、ユーザ宅（Ｂ）に設置された冷蔵庫と空気清浄機とでは、配信データの再生開始時刻およびその内容が重なっている。この場合、発話調整部２１ｃは、冷蔵庫あるいは空気清浄機の何れか一方で、音声データの再生を取止める。つまり、再生開始時刻を消去する。
【００５３】
発話調整部２１ｃは、登録時期の早い順や、再生時間の短い順、前もって決められたカテゴリ別の優先度の高い順、ユーザが指定した順などに従って、再生開始時刻をずらす。
【００５４】
音声送信制御部２１ｄは、配信先の家電１０に、配信データを再生開始時刻情報の再生開始時刻よりも前に予め送信する。例えば、再生開示時刻の１時間程前に送信する。その後、再生開始時刻に達すると、配信先の家電１０に、送信済みの配信データに含まれる音声データの再生開始を指示する再生開始指示を送信する。これにより、音声データをダウンロードする際に係る時間に関係なく、再生開始を指示した時間丁度に、家電１０から発話させることができる。
【００５５】
そして、本実施の形態では、音声送信制御部２１ｄは、発話調整部２１ｃにて再生開始時刻が調整されている場合は、発話調整部２１ｃの調整結果に基づいて再生開始指示を送信する。例えば、図６に示す再生指示リストの例で、発話調整部２１ｃが、ユーザ宅（Ａ）に設置された冷蔵庫による配信データＢの再生開示時刻を、ユーザ宅（Ａ）に設置されたエアコンの配信データＡの再生時間に応じた遅らせた場合、音声送信制御部２１ｄは、その遅らせた時刻に達すると、ユーザ宅（Ａ）に設置された冷蔵庫に送信済みの配信データＢの音声データの再生開始を指示する。
【００５６】
図８は、配信サーバ２０における音声配信の手順を示すフローチャートである。図８に示すように、配信サーバ２０における制御部２１は、まず、配信先の家電１０に係わりなく、現時点で投稿された配信データおよび自発配信による配信データの全てを対象として、再生指示リストを作成する（Ｓ１）。
【００５７】
次に、制御部２１は、再生開始時刻の調整が必要となる家単位の再生指示リストに分割し（Ｓ２）、家単位の再生指示リスト毎に、該リストに含まれる各家電１０間で音声データの再生期間が重なるかどうかを判断する（Ｓ３）。
【００５８】
Ｓ３で重ならないと判断した家については、Ｓ４に進み、その時刻に再生開始指示を送信すべき家電１０があるかどうかを判断する。ここで、送信すべき家電１０があると判断した場合は、対応する家電１０に再生開始指示を送信して（Ｓ５）、Ｓ６に進む。Ｓ４にて、送信すべき家電１０が無いと判断した場合は、Ｓ５を飛ばしてＳ６に進む。
【００５９】
一方、Ｓ３で重なると判断した家については、Ｓ７に進み、再生開始時刻の調整を、再生取止めを含めて行う。その後、Ｓ８に進み、調整結果に基づいて、順位１位の家電１０に再生開始指示を送信し、Ｓ６に進む。
【００６０】
Ｓ６においは、制御部２１は、再生開始指示を送信した配信データを除外する一方、先の再生指示リストを作成した以降に新たに投稿された配信データおよび新たに自発させた配信データを追加した全ての配信データを対象として、再生指示リストを再作成する（Ｓ６）。Ｓ７にて、再生開始時刻が調整され、再生開始時刻が後にずらされた配信データが存在する場合には、後にずらせた再生開始時刻を用いる。これ以降、Ｓ２に戻り、Ｓ２〜Ｓ８の処理を繰り返し行う。本実施の形態では、Ｓ６の再生指示リストの再作成を、再生開始時刻を設定可能な最小時間に合わせて１分毎に行う。
【００６１】
なお、このように、発話調整部２１ｃによる調整結果を含めて再生指示リストを再作成する場合、再生開始時刻を調整する処理の実行回数が所定回数を超える配信データが出現することがある。したがって、発話調整部２１ｃとしては、さらに、実行回数が所定回数を超えた音声データの再生の優先度を上げて、再生され易くする機能を有していることが好ましい。
【００６２】
図９は、図８におけるＳ７の再生開始時刻の調整処理の手順を示すフローチャートである。配信サーバ２０における制御部２１は、まず、配信データに含まれる属性情報に基づいて、再生開始時刻を調整すべき配信データについて、音声データのカテゴリ等から重複するかどうかを判断する。そして、重複する場合は、そのうちの１つを残して、残りの配信データを削除し、再生を取止める（Ｓ４−１）。これにより、同じ発話を何度もユーザが聞いて煩わしさを感じることを回避できる。
【００６３】
次に、制御部２１は、再生開始時刻を調整すべき配信データについて、再生時間の短い順（Ｓ４−２）、前もって決められたカテゴリ別の優先度の高い順（Ｓ４−３）、ユーザが指定した順（Ｓ４−４）などに従って、配信データの順序を並び替えて、再生開始時刻をずらす。なお、Ｓ４−２〜Ｓ４−４の処理は、その内の１つのみ実施できる構成であっても、組み合わせて実施できる構成であってもよい。また、Ｓ４−１の処理とＳ４−２〜Ｓ４−４の処理との組合せも必須ではない。
【００６４】
図１０は、再生開始時刻を調整すべき配信データの並べ替えのイメージを示す図である。図１０の（ａ）は、図９のフローチャートにおけるＳ４−２に進み、再生時間の短い順に並べ替えられた例を示す。短い順とすることで、調整対象の配信データが多く有った場合に、長い順から再生した場合よりも、たくさんの発話を聞くことができるというメリットがある。図１０の（ｂ）は、図９のフローチャートにおけるＳ４−１において、内容が重複する音声データが、１つを残して削除された例を示す。
【００６５】
図１１は、近くに配置された家電Ａと家電Ｂとの間で再生期間が重なり、音声が重複する事例のタイミングチャートである。配信サーバ２０は、家電Ａ，家電Ｂに対し、音声データのダウンロードを指示し、指示を受けた家電Ａ，家電Ｂが音声データをダウンロードする。音声データのダウンロードには時間がかかるため、配信サーバ２０は、開始時刻情報で示される開始時刻の１時間程前にダウンロードを指示する。その後、サーバは、前もってダウンロードさせた音声データに指定されている開始時刻（開始時刻情報の開始時刻）になると、家電Ａ，家電Ｂに対し、音声データの発話指示（開始指示）を送信する。指示を受けた家電Ａ，家電Ｂが、ダウンロードした音声データを再生して発話する。
【００６６】
家電Ａ，家電Ｂで、再生開始時刻が同じであった場合や、家電Ｂの再生開始時刻が、先に再生を開始した家電Ａの再生中に重なっていた場合、家電Ａ，家電Ｂ間で再生期間が重なり、それぞれの音声が重複して、聞き取り難くなる。
【００６７】
図１２は、近くに配置された家電Ａと家電Ｂとの間で、発話指示のタイミングをずらして、再生期間の重なりを無くしたタイミングチャートである。配信サーバ２０は、再生期間が重なる家電Ｂに対する発話指示を送信するタイミングを、家電Ａの再生が終了してから発話を開始するように、家電Ａの再生時間ｎ秒に応じてｎ秒間ずらす。これにより、家電Ａ，家電Ｂで、再生開始時刻が同じであったとしても、家電Ａと家電Ｂとの間で音声が重複して、聞き取り難くなることはない。
【００６８】
また、本実施の形態では、配信先の家電１０に係わりなく、現時点で投稿された配信データおよび自発配信による配信データの全てを対象として再生指示リストを作成し、これを基に再生開示時刻を調整する。したがって、１つの家電１０に対して、同じ再生開始時刻を設定された複数の配信データが投稿されたり、再生開始時刻は異なるものの、設定された再生開始時刻が、先に再生を開始した音声データの再生中に重なったりする場合でも、再生開始時刻をずらして音声データを再生させることができる。
【００６９】
〔実施の形態２〕
次に、本発明の別の実施形態について、図１３を参照して説明する。本実施の形態は、音声配信サーバである配信サーバ２０における再生指示リスト分割部２１ｂの分割の仕方が実施の形態１と異なり、その他の構成は実施の形態１と同様である。
【００７０】
図１３に示すように、本実施の形態では、再生指示リスト分割部２１ｂは、再生開始時刻の調整が必要となるグループを、同一のユーザ宅ＩＤで、かつユーザ宅５０内の設置場所を示す設置場所情報が同一である家電１０のグループとし、実施の形態１の構成よりも細かく分割する。ユーザ宅５０内の設置場所を示す設置場所情報とは、居室単位の情報であり、リビング、子供部屋１、子供部屋２、寝室、玄関、あるいは、１階、２階などの情報である。家電ＩＤには、設置場所を示す情報として、設置場所情報（リビング／子供部屋１／子供部屋２／寝室／玄関／１階／２階／…）が含まれており、再生指示リスト分割部２１ｂは、ユーザ宅ＩＤおよび設置場所情報の両方を用いて、家電１０をグループ分けする。
【００７１】
同じユーザ宅５０に設置されていても、１階と２階に設置されている家電間や、リビングと寝室に設置されている家電１０間であれば、再生期間が重なっても、発話の音声が重複して聞き取り難くなることはない。
【００７２】
そのため、このように、より細かく調整が必要であるかを判断することで、１階に居るユーザと２階に居るユーザ、およびリビングに居るユーザと寝室に居るユーザそれぞれに、各々の配信データの発話を聞かせることができる。
【００７３】
〔実施の形態３〕
次に、本発明の別の実施形態について、図１４〜図１７を参照して説明する。本実施の形態は、音声配信サーバである配信サーバ２０に、メッセージ送信制御部２１ｅがさらに備えられた点が施の形態１、２と異なり、その他の構成は実施の形態１、２と同様である。
【００７４】
図１４に示すように、本実施の形態では、配信サーバ２０における制御部２１には、メッセージ送信制御部２１ｅがさらに構築される。メッセージ送信制御部２１ｅは、発話調整部２１ｃにて再生が取止められた音声データの内容を示すメッセージを、送信先の家電１０に関連付けられたユーザの通信端末装置３０に送信する。また、送信先の家電１０と同一のユーザ宅ＩＤを有するテレビが、配信サーバ２０からのメッセージを表示あるいは音声にて出力するメッセージ受信機能付きのテレビである場合には、メッセージ送信制御部２１ｅが、該テレビに上記メッセージを送信する構成としてもよい。
【００７５】
図１５は、本実施の形態における、配信サーバ２０を介して各家電に配信される配信データの流れを示す図である。配信サーバ２０は、発話調整部２１ｃにて再生が取止められた音声データの内容を示すメッセージを、送信先の家電１０に関連付けられたユーザの通信端末装置３０あるいは送信先の家電１０と同一のユーザ宅ＩＤを有するメッセージ受信機能付きのテレビ３３に送信する。
【００７６】
図１６は、本実施の形態にかかる配信サーバ２０における、再生開始時刻の調整処理の手順を示すフローチャートである。配信サーバ２０における制御部２１は、再生開始時刻を調整すべき配信データについて、再生時間の短い順（Ｓ４−２）、前もって決められたカテゴリ別の優先度の高い順（Ｓ４−３）、ユーザが指定した順（Ｓ４−４）などに従って、配信データの順序を並び替えて、再生開始時刻をずらす。そして、その結果、優先度の低い配信データや、極端に再生時間が長い配信データなど、以降の発話のスケジュールから考慮して、家電１０にて発話させることが無理と判断すると、代替表現処理として、当該音声データの再生指示の送信を取止め、その内容を示すメッセージを、送信先の家電１０に関連付けられたユーザの通信端末装置３０あるいはテレビ３３に送信する（Ｓ４−５）。なお、通信端末装置３０の場合、代替表現処理におけるメッセージはテキストデータで送信しても、音声データで送信してもよい。
【００７７】
図１７は、再生開始時刻を調整すべき配信データの並べ替えのイメージを示す図である。再生時間が長く、以降の発話のスケジュールから考慮して、家電１０にて発話させることが無理と判断された配信データについては、代替表現処理が使われ、家電１０からの発話はキャンセルされる。
【００７８】
〔実施の形態４〕
次に、本発明の別の実施形態について、図１８〜図２１を参照して説明する。本実施の形態は、管理サーバ６０が備える放送局について説明する。
【００７９】
管理サーバ６０も配信サーバ２０と同様に、図示してはいないが、制御部、記憶部および通信部を備えている。図１８は、ネットワーク家電放送局の管理画面の一例を示す図である。家電１０の種類（冷蔵庫／エアコン／空気清浄機／…）に応じて一斉に配信される音声メッセージの放送スケジュールが、テレビやラジオの番組欄のように組まれる。このような放送スケジュールは、放送対象および放送日ごとに組まれる。図１８の例では、放送時刻が３０分単位で組まれており、この時刻が配信データの属性情報に含まれる再生開始時刻情報となる。
【００８０】
図１９は、ネットワーク家電放送局に配信データを登録するための登録画面の一例を示す図である。この画面から放送スケジュールに、配信データの配信を予約できる。図１８において、対象家電毎に、発話の仕方として第１の発話設定である「ダイレクト発話」と第２の発話設定である「ランプが点滅する」選択できるようになっている。
【００８１】
「ダイレクト発話」を選択すると、実施の形態１〜３で説明したように、指定された再生開始時刻に、家電１０に対するユーザの操作に関係なく家電１０が発話する。
【００８２】
一方、「ランプが点滅する」を選択すると、家電１０に設けられた所定のランプ（報知部）が点滅して、発話すべき音声の存在をユーザに通知する。この所定のランプの点滅開始が、放送スケジュールに設定された再生開始時刻となる。所定のランプの点滅は、所定のランプが押されて発話が完了するまで継続し、再生されないまま終了時刻に達すると消灯する。
【００８３】
また、「ランプが点滅する」を利用した発話のさせ方として、登録画面で登録された内容に従い、事前に、送信先の家電１０に関連付けられたユーザの通信端末装置３０に予告を出す構成とすることもできる。予告は、前述のアプリケーションを起動させたＵＩ画面にて、テキストデータによるメッセージ表示や音声データによる音声再生で行われる。このような予告の受け取りを希望する配信データのカテゴリは、通信端末装置３０に表示された上記ＵＩ画面を用いて適宜設定することができる。
【００８４】
「ランプが点滅する」であるか「ダイレクト発話」であるかを示す発話設定情報は、配信データに属性情報として付加される。「ランプが点滅する」が選択された配信データには、再生開始時刻を示す再生開始時刻情報と共に、再生終了時刻を示す再生終了時刻情報も属性情報として含まれる。これら再生開始時刻情報および再生終了時刻情報が再生可能期間を示す再生可能期間情報に相当する。
【００８５】
家電１０は、再生開始時刻と再生終了時刻とから再生可能期間を取得し、再生可能期間に所定のランプ（報知部、再生操作受付部）を点滅させて再生すべき発話の存在を知らせる。
【００８６】
図２０は、本実施の形態における配信サーバ２０の音声配信に係る要部ブロック図である。配信サーバ２０と家電１０とで音声配信システムが構成される。図２０に示すように、本実施の形態における配信サーバ２０は、図１４に示した実施の形態３の配信サーバ２０に、予告メッセージ送信制御部２１ｆと第２音声送信制御部２１ｇとが追加された構成である。なお、実施の形態１，２の配信サーバ２０に、予告メッセージ送信制御部２１ｆと第２音声送信制御部２１ｇとが設けられた構成としてもよい。また、予告メッセージ送信制御部２１ｆおよび第２音声送信制御部２１ｇとの区別を明確にするために、これ以降、メッセージ送信制御部２１ｅを代替メッセージ送信制御部２１ｅと称し、音声送信制御部２１ｄを第１音声送信制御部２１ｄと称する。
【００８７】
発話調整部２１ｃ、第１音声送信制御部２１ｄおよび代替メッセージ送信制御部２１ｅは、「ダイレクト発話」が選択されている配信データについて機能する。これに対し、「ランプが点滅する」が選択されている配信データについては、予告メッセージ送信制御部２１ｆおよび第２音声送信制御部２１ｇが機能する。
【００８８】
第２音声送信制御部２１ｇは、送信先の家電１０に対し、再生可能期間よりも前、すなわち再生開始時刻よりも前に、配信データを送信する。その後、再生可能期間に入る、すなわち再生開始時刻に達すると、第２音声送信制御部２１ｇは、配信先の家電１０に、送信済みの配信データに含まれる音声データの再生を許可する再生許可指示を送信する。
【００８９】
家電１０は、配信サーバ２０から再生許可指示を受信すると、受信済みの配信データに含まれる音声データ（受信済みの音声データ）の存在をユーザに報知するべく、所定のランプ（報知部）を点滅させる。そして、所定のランプが点滅している間、受信済みの音声データの再生操作を受け付け、所定のランプ（再生操作受付部）が押されると、再生を開始して発話する。
【００９０】
本実施の形態では、家電１０は、所定のランプが操作されて発話が完了すると、所定のランプの点滅を終了する。なお、複数回繰り返し聞ける構成としてもよい。所定のランプの点滅期間は、最大にしても再生可能期間が終了するまでの間である。所定のランプが押されないまま再生可能期間が過ぎると受信済みの音声データは再生されなくなる。この場合、代替メッセージ送信制御部２１ｅが、再生されなかった発話の内容を示すメッセージ（代替メッセージ）を、送信先の家電１０に関連付けられたユーザの通信端末装置３０等に送信する構成としてもよい。
【００９１】
予告メッセージ送信制御部２１ｆは、送信先の家電１０に関連付けられたユーザの情報端末装置３０に、再生可能期間よりも前、すなわち再生開始時刻よりも前に、音声データを含む配信データの配信を予告し、当該音声データの再生可能期間を通知する予告メッセージを送信する。このような予告メッセージが送信されることで、ユーザは、家電１０から発せられる予定の発話の存在を知って、再生可能期間に所定のボタンを押すことで、聞きのがすことなく家電１０からの発話を聞くことができる。
【００９２】
図２１は、通信端末装置３０に事前に発話を予告して、所定のボタンを押させて発話を聞かせるイメージを示す図である。図２１の（ａ）は、通信端末装置３０に遠隔操作のためのアプリケーションを起動させることで表示されるＵＩ画面に、空気清浄機の「くうちゃん」からの、登録画面で登録された特定の日時に、特別な音声配信が聞けることを通知する「スペシャルボイスの配信があるよ！聞き逃さないでね。日時５/２４  １４：００〜５/２６  １５：００」の予告メッセージが表示された一例を示す図である。図２１の（ｂ）は、空気清浄機の「くうちゃん」の所定のボタンが、登録画面で登録された特定の日時になると点滅する様子を示す図である。図２１の（ｃ）は、空気清浄機の「くうちゃん」の所定のボタンを押すことで発話される、発話の内容例を示す図である。
【００９３】
所定のボタンが押されることで発話する設定は、所定のボタンが押されない限り発話しないものの、所定のボタンが押された場合には、所定のボタンを押したユーザに確実に発話内容を聞かせることができる。したがって、この場合、如何にして所定のボタンを押させるかが重要であり、このような予告を行ってボタン操作を促すことにより、より効果的に家電１０からの発話を聞かせることが可能となる。
【００９４】
〔実施の形態５〕
次に、本発明の別の実施形態について説明する。本実施の形態は、通信端末装置３０に遠隔操作のためのアプリケーションを起動させることで表示されるＵＩ画面から、配信サーバ２０に、発話予定を登録する構成について詳細に説明する。なお、音声配信サーバである配信サーバ２０の構成は、実施の形態１〜３と同様である。
【００９５】
前述したように、配信サーバ２０には、通信端末装置３０に前述のアプリケーションを起動させることで表示されるＵＩ画面から、発話予定を登録することができる。登録できる発話内容としては、例えば以下のようなものがある。
【００９６】
I) カウントダウン
カレンダーに特定時刻に特定目的を設定すると、設定した時刻から逆算した時刻に以下の発話を行う。
・ カレンダーにＸデイ（汎用目的）を設定すると、「Ｘデイまであと１０日、これからが本番です」と発話する。
・ カレンダーに給料日を設定すると、「給料日まであと３日、水を飲んで頑張ろう！」と発話する。
・ カレンダーに地球滅亡の日を設定すると、「地球滅亡の日まであと４日」と発話する。
【００９７】
II) タイマー
開始シール送付と、終了シールを送付すると、一定間隔で発話を行う。
・ 勉強シール（小学校高学年向け）では、「２時間たったよ。頑張ってるよね。あと１時間がんばろう」と発話する。
・ 浪人生向けでは、「５時間目だよ。△大合格者の平均勉強時間は１日７時間だよ。」と発話する。
・ ゲームマニア向けでは、「３時間たったよ。もう夜遅いかから、寝たら？」「２４時間たったよ。そろそろ死ぬよ。」と発話する。
【００９８】
III) カウントアップ
開始シール送付と、終了シールを送付すると、毎日、１日単位で発話を行う。
・ 「ダイエット3日目だよ。ちゃんと決めたとおりにやってる？」と発話する。
・ 「今日で禁煙１か月目だよ。そろそろ禁断症状きえたのではない？」と発話する。
・ 「今日で禁酒１か月目だよ。健康診断に向けて頑張ってるよね」と発話する。
【００９９】
IV) イベント（カウントダウンの派生バージョン）
○○オリンピックシールを送る。
・ 「○○オリンピックまであと９４０日。楽しみだよね。」と発話する。
【０１００】
V) 世界時計
国旗シールを送付すると、１時間毎に、その国の時間の発話を行う。
・ 「ミラノ時間では、１２時５分です。」と発話する。
【０１０１】
〔ソフトウェアによる実現例〕
配信サーバ２０の制御ブロック（特に制御部２１）は、集積回路（ＩＣチップ）等に形成された論理回路（ハードウェア）によって実現してもよいし、ＣＰＵ（Central Processing Unit）を用いてソフトウェアによって実現してもよい。
【０１０２】
後者の場合、配信サーバ２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０３】
なお、本発明は、家電１０以外にも、工業用電気機器など、任意の電子機器に適用することができる。
【０１０４】
〔まとめ〕
本発明の態様１に係る音声配信サーバ（配信サーバ２０）は、音声再生機能を有する複数の電子機器に音声データを配信する音声配信サーバであって、前記音声データには、送信先の情報を示す送信先情報と、当該音声データの再生開始時刻を示す再生開始時刻情報が付加されており、送信先の電子機器に対し、前記再生開始時刻情報に示される再生開始時刻よりも前に音声データを送信し、再生開始時刻に達すると送信済みの音声データの再生開始を指示する再生開始指示を送信する音声送信制御部２１ｄと、複数の電子機器を含む予め設定されているグループに属する各電子機器について、各電子機器間で音声データの再生期間が重ならないように、再生取止めを含めて再生開始時刻の調整を行う調整部（発話調整部２１ｃ）と、を備え、前記音声送信制御部２１ｄは、前記調整部にて再生開始時刻が調整されている場合は、前記調整部の調整結果に基づいて再生開始指示を送信する。
【０１０５】
上記構成によれば、まず、音声送信制御部２１ｄが、送信先の電子機器に、音声データを予めダウンロードさせておき、再生開始時刻には再生開始指示を送信するだけであるので、再生開始を指示した時間丁度に、電子機器から発話させることができる。
【０１０６】
さらに、調整部が、複数の電子機器を含む予め設定されているグループに属する各電子機器について、各電子機器間で音声データの再生期間が重ならないように、再生取止めを含めて再生開始時刻の調整を行う。これにより、たとえ音声データの投稿元が連携なく音声データを再生開始時刻を付けて登録したとしても、音声配信サーバ側において、各電子機器間で音声データの再生期間が重ならないように再生開始時刻を調整して、電子機器から発生される音声が重なってしまい、聞き取れないといった事態の招来を回避できる。
【０１０７】
本発明の態様２に係る音声配信サーバは、上記態様１において、各電子機器は、設置されている位置を示す設置位置情報に関連付けられており、前記グループは、同一の設置位置情報が関連付けられた電子機器からなるグループである構成である。
【０１０８】
設置位置情報が同一の電子機器の場合、各電子機器間で音声データの再生期間が重なってしまい、聞き取れないといった事態が招来しやすいので、このような構成とすることが好ましい。
【０１０９】
本発明の態様３に係る音声配信サーバは、上記態様２において、前記設置位置情報が、ユーザ宅を識別するための識別情報である、あるいは前記識別情報およびユーザ宅内の設置場所を示す設置場所情報である、構成である。
【０１１０】
設置されているユーザ宅が同一の電子機器の場合、各電子機器間で音声データの再生期間が重なってしまい、聞き取れないといった事態が招来しやすいので、このような構成とすることが好ましい。また、設置されているユーザ宅が同一で、かつ、ユーザ宅内の設置場所が同一の電子機器の場合、各電子機器間で音声データの再生期間が重なってしまい、聞き取れないといった事態が招来しやすいので、このような構成とすることがより好ましい。
【０１１１】
本発明の態様４に係る音声配信サーバは、上記態様１から３において、前記調整部は、再生させる音声データの内容が複数の電子機器間で重複する場合は、これら複数の電子機器に再生させる音声データの再生開始時刻を、そのうちの１台の電子機器でのみ音声データが再生されるように調整する構成である。
【０１１２】
上記構成のように、音声データの内容が複数の電子機器間で重複する場合は、再生開始時刻を調整して、そのうちの１台の電子機器でのみ音声データが再生され、他の電子機器では再生されないように調整することで、同じ発話を何度もユーザが聞いて煩わしさを感じることを回避できる。
【０１１３】
本発明の態様５に係る音声配信サーバは、上記態様１から４において、前記調整部は、各電子機器に再生させる音声データの再生開始時刻を、再生時間の短い音声データから順に再生されるように調整する構成である。
【０１１４】
上記構成によれば、再生時間の短い音声データから再生されるので、再生時間の長い音声データから再生された場合よりも、同じ時間で多くの発話を聞くことができる。
【０１１５】
本発明の態様６に係る音声配信サーバは、上記態様１から５において、前記調整部は、予め定められたタイミングで、以前の再生開始時刻の調整によって再生開始指示が送信されていない音声データを含めて再生開始時刻の調整を行う構成である。
【０１１６】
上記構成によれば、予め定められたタイミングで、以前の再生開始時刻の調整によって再生開始指示が送信されていない音声データを含めて再生開始時刻が調整されるので、優先度の高い音声データが、新たに出現した場合など、それを迅速に発話させることができる。
【０１１７】
本発明の態様７に係る音声配信サーバは、上記態様６において、前記タイミングが、再生開始時刻として設定可能な最小時間であり、前記調整部は、最小時間毎に再生開始時刻の調整を繰り返し行う構成である。
【０１１８】
上記構成によれば、再生開始時刻として設定可能な最小時間毎に再生開始時刻の調整が繰り返し行われるので、優先度の高い音声データが、新たに出現した場合など、確実にそれを迅速に発話させることができる。
【０１１９】
本発明の態様８に係る音声配信サーバは、上記態様１から７において、前記調整部は、再生開始時刻を調整する処理の実行回数が所定回数を超えたとき、実行回数が所定回数を超えた音声データの再生の優先度を上げる構成である。
【０１２０】
上記構成によれば、再生開始時刻を調整する処理の実行回数が所定回数を超えた音声データの再生の優先度が上げられるので、再生開始時刻を調整すべき音声データが多く存在したとしても、指定された再生開始時刻から極端に遅れるような事態を回避することができる。
【０１２１】
本発明の態様９に係る音声配信サーバは、上記態様１から８において、前記調整部は、前記再生開始時刻情報に示される再生開始時刻から所定時間内に開始指示が送信されなかった音声データについては再生を取止め、前記調整部にて再生が取止められた音声データの内容を示すメッセージを、送信先の電子機器に関連付けられたユーザの情報端末装置に送信するメッセージ送信制御部をさらに備える構成である。
【０１２２】
上記構成によれば、再生開始時刻情報に示される再生開始時刻から所定時間内に開始指示が送信されなかった音声データについては再生を取止め、メッセージ送信制御部が、取止められた音声データの内容を示すメッセージを、送信先の電子機器に関連付けられたユーザの情報端末装置に送信するので、再生開始時刻を調整すべき音声データが多く存在し、再生しきれなかった場合にも、聞かせたかったユーザに発話を聞かせることができる。
【０１２３】
本発明の態様１０に係る音声配信サーバは、上記態様１から９において、前記電子機器は、再生開始指示を受信すると、当該音声配信サーバから受信した音声データの再生を開始する第１の発話設定（ダイレクト発話）と、再生許可指示を受信すると、当該音声配信サーバから受信した音声データの存在をユーザに報知し、ユーザにより再生が指示されると前記音声データの再生を開始する第２の発話設定（ランプが点滅する）とが可能であり、前記音声データには、当該音声データの再生可能期間を示す再生可能期間情報と、前記第１あるいは第２の何れの発話設定かを示す発話設定情報とが、さらに付加されており、前記発話設定情報が第２の発話設定である場合に、送信先の電子機器に対し、前記再生可能期間情報に示される再生可能期間よりも前に音声データを送信し、前記再生可能期間に入ると送信済みの音声データの再生を許可する再生許可指示を送信する第２の音声送信制御部（第２音声送信制御部２１ｇ）と、前記発話設定情報が第２の発話設定である場合に、音声データの送信先の電子機器に関連付けられたユーザの情報端末装置３０に、前記再生可能期間情報に示される再生可能期間よりも前に、音声データの配信を予告し、当該音声データの再生可能期間を通知する予告メッセージを送信する予告メッセージ送信制御部２１ｆと、を備える構成である。
【０１２４】
上記構成によれば、第２の発話設定である場合、音声配信サーバの第２の音声送信制御部から電子機器に音声データが、再生可能期間を指定して再生可能期間よりも前に送信される。その後、音声データの再生可能期間になると、第２の音声送信制御部から電子機器に再生許可指示が送信され、これを受信することで電子機器では受信済みの音声データの再生が可能になる。電子機器では、再生許可指示を受信すると、音声データの存在をユーザに報知し、ユーザにより再生が指示されると前記音声データの再生を開始する。
【０１２５】
このようなユーザによる再生指示を受け付けて音声を再生（発話）する第２の発話設定では、再生指示がなされない限り発話しないものの、再生指示がなされた場合には、再生指示を行ったユーザに確実に発話内容を聞かせることができるといった利点がある。
【０１２６】
さらに、予告メッセージ送信制御部が、音声データの送信先の電子機器に関連付けられたユーザの情報端末装置に、再生可能期間よりも前に音声データの配信を予告し、当該音声データの再生可能期間を通知する予告メッセージを送信する。
【０１２７】
これにより、ユーザは、電子機器から発せられる予定の発話の存在を知って、再生可能期間に再生操作受付部を操作することで、聞きのがすことなく電子機器からの発話を聞くことができる。
【０１２８】
本発明の態様１１に係る音声配信システムは、音声再生機能を有する複数の電子機器に音声データを配信する音声配信サーバ（配信サーバ２０）と、前記音声配信サーバより音声データを受信して再生する複数の電子機器（家電１０）とを含む音声配信システムであって、前記音声データには、送信先の情報を示す送信先情報と、当該音声データの再生可能期間を示す再生可能期間情報が付加されており、前記音声配信サーバは、送信先の電子機器に対し、前記再生可能期間情報に示される再生可能期間よりも前に音声データを送信し、前記再生可能期間に入ると送信済みの音声データの再生を許可する再生許可指示を送信する第２の音声送信制御部（第２音声送信制御部２１ｇ）と、音声データの送信先の電子機器に関連付けられたユーザの情報端末装置３０に、前記再生可能期間情報に示される再生可能期間よりも前に、音声データの配信を予告し、当該音声データの再生可能期間を通知する予告メッセージを送信する予告メッセージ送信制御部２１ｆと、を備え、前記複数の電子機器は、前記音声配信サーバから前記再生許可指示を受信した場合に、受信済みの音声データの存在をユーザに報知する報知部と、前記報知部が前記音声データの存在を報知している期間に、受信済みの音声データのユーザによる再生操作を受け付ける再生操作受付部と、を有する構成である。
【０１２９】
本発明の各態様に係る音声配信サーバは、コンピュータによって実現してもよく、この場合には、コンピュータを上記音声配信サーバが備える各部として動作させることにより上記音声配信サーバをコンピュータにて実現させる音声配信サーバの制御プログラム、およびそれを記録したコンピュータ読み取り可能な記録媒体、制御方法も、本発明の範疇に入る。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１３１】
１０  家電（電子機器）
２０  配信サーバ（音声配信サーバ）
２１  制御部
２１ａ  再生指示リスト作成部
２１ｂ  再生指示リスト分割部
２１ｃ  発話調整部
２１ｄ  音声送信制御部
２１ｅ  メッセージ送信制御部
２１ｆ  予告メッセージ送信制御部
２１ｇ  第２音声送信制御部
２２  記憶部
２３  通信部
３０  通信端末装置
４０  中継局
５０  ユーザ宅
６０  管理サーバ
８０  通信ネットワーク
７０  外部情報サーバ
８０  通信ネットワーク
１００  遠隔操作システム
【図１】
0006509701.tif 000002
【図２】
0006509701.tif 000003
【図３】
0006509701.tif 000004
【図４】
0006509701.tif 000005
【図５】
0006509701.tif 000006
【図６】
0006509701.tif 000007
【図７】
0006509701.tif 000008
【図８】
0006509701.tif 000009
【図９】
0006509701.tif 000010
【図１０】
0006509701.tif 000011
【図１１】
0006509701.tif 000012
【図１２】
0006509701.tif 000013
【図１３】
0006509701.tif 000014
【図１４】
0006509701.tif 000015
【図１５】
0006509701.tif 000016
【図１６】
0006509701.tif 000017
【図１７】
0006509701.tif 000018
【図１８】
0006509701.tif 000019
【図１９】
0006509701.tif 000020
【図２０】
0006509701.tif 000021
【図２１】
0006509701.tif 000022